(57)【特許請求の範囲】
【請求項１】
表面シートと、裏面シートと、該表面シートと該裏面シートとの間に配置される本体吸収体とを有する本体部を有する吸収性物品であって、
前記本体部の肌当接面側に、前記吸収性物品の長手方向に延びる上層部が設けられており、
前記上層部は、前記表面シートとは別体の上層表面シートを有しており、
前記吸収性物品の幅方向における前記上層部の寸法は、前記幅方向における前記本体部の寸法よりも小さくなるように構成されており、
前記上層部に対向する前記本体吸収体の前記幅方向の中心を含む中央領域が設けられており、
前記中央領域の少なくとも一部において、前記中央領域よりも曲げ剛性が低い低剛性領域が形成されており、
前記本体部の肌当接面側において、分断されている第１圧搾溝及び第２圧搾溝が少なくとも設けられており、
前記第１圧搾溝は、前記低剛性領域よりも前記幅方向の外側において、前記長手方向に延びており、
前記第２圧搾溝は、前記低剛性領域よりも前記幅方向の外側において、前記長手方向に延びており、かつ、前記低剛性領域に対向する領域よりも前記長手方向の後方において、前記幅方向に延びていることを特徴とする吸収性物品。
【請求項２】
前記上層部は、前記低剛性領域に対向する領域の少なくとも一部において前記本体部に接合されていないことを特徴とする請求項１に記載の吸収性物品。
【請求項３】
前記上層部は、前記本体吸収体とは別体の上層吸収体を有しており、
前記低剛性領域は、前記上層部内で前記上層吸収体が配置されている領域に少なくとも一部が対向する前記本体吸収体の領域に形成されていることを特徴とする請求項１に記載の吸収性物品。
【請求項４】
前記幅方向における前記低剛性領域の寸法は、前記幅方向における前記上層吸収体の寸法よりも小さくなるように構成されていることを特徴とする請求項３に記載の吸収性物品。
【請求項５】
前記低剛性領域における前記本体吸収体の目付けは、前記低剛性領域の周辺領域における前記本体吸収体の目付けよりも低くなるように構成されていることを特徴とする請求項１乃至４のいずれか一項に記載の吸収性物品。
【請求項６】
前記本体部は、前記幅方向の両外側に延出する中央ウィング部を有し、
前記低剛性領域は、前記中央ウィング部よりも、前記長手方向の後方に形成されていることを特徴とする請求項１乃至４のいずれか一項に記載の吸収性物品。
【請求項７】
前記裏面シートの下着当接面側に、前記吸収性物品を下着に固定するための粘着剤が塗布されており、
前記低剛性領域の前記幅方向の中心を含む領域に対向する前記裏面シートの領域には、前記粘着剤が塗布されていないことを特徴とする請求項１乃至４のいずれか一項に記載の吸収性物品。
【請求項８】
前記低剛性領域は、前記本体吸収体が前記裏面シート側に凹んでいる凹部領域によって構成されており、
前記上層部は、前記凹部領域内に収まるように構成されていることを特徴とする請求項１乃至４のいずれか一項に記載の吸収性物品。
【請求項９】
前記低剛性領域の前記幅方向の外側に、中央ウィング部又は後方ウィング部が設けられていることを特徴とする請求項１乃至４のいずれか一項に記載の吸収性物品。
【請求項１０】
表面シートと、裏面シートと、該表面シートと該裏面シートとの間に配置される本体吸収体とを有する本体部を有する生理用ナプキンであって、
前記本体部は、前記生理用ナプキンの幅方向の両外側に延出する中央ウィング部と、前記中央ウィング部よりも前記生理用ナプキンの長手方向の後方に設けられており前記幅方向の両外側に延出する後方ウィング部とを有し、
前記本体部の肌当接面側に、前記生理用ナプキンの長手方向に延びる上層部が設けられており、
前記上層部は、前記表面シートとは別体の上層表面シート及び前記本体吸収体とは別体の上層吸収体を有しており、
前記生理用ナプキンの幅方向における前記上層部の寸法は、前記幅方向における前記本体部の寸法よりも小さくなるように構成されており、
前記上層部に対向する前記本体吸収体の前記幅方向の中心を含む中央領域が設けられており、
前記中央領域内で、前記上層部内で前記上層吸収体が配置されている領域に少なくとも一部が対向する領域において、前記中央領域よりも曲げ剛性が低い低剛性領域が形成されており、
前記低剛性領域は、前記幅方向における前記本体部の寸法が最も小さい領域よりも、前記長手方向の後方に形成されており、
前記後方ウィング部は、前記低剛性領域の前記幅方向の外側に設けられており、
前記本体部及び前記上層部は、前記低剛性領域に対向する領域において接合されておらず、
前記幅方向における前記低剛性領域の寸法は、前記幅方向における前記上層吸収体の寸法よりも小さくなるように構成されており、
前記本体部の肌当接面側において、分断されている第１圧搾溝及び第２圧搾溝が少なくとも設けられており、
前記第１圧搾溝は、前記低剛性領域よりも前記幅方向の外側において、前記長手方向に延びており、
前記第２圧搾溝は、前記低剛性領域よりも前記幅方向の外側において、前記長手方向に延びており、かつ、前記低剛性領域に対向する領域よりも前記長手方向の後方において、前記幅方向に延びており、
前記低剛性領域における前記本体吸収体の目付けは、前記低剛性領域の周辺領域における前記本体吸収体の目付けよりも低くなるように構成されていることを特徴とする生理用ナプキン。
【発明の詳細な説明】
【技術分野】
【０００１】
本発明は、吸収性物品、特に、生理用ナプキンに関する。
【背景技術】
【０００２】
従来、表面シートと裏面シートと本体吸収体とを含む本体部を有し、かつ、かかる本体部の肌当接面側に長手方向に延びる上層部が設けられている吸収性物品が知られている（例えば、特許文献１参照）。
【０００３】
かかる吸収性物品において、幅方向における上層部の寸法は、幅方向における本体部の寸法よりも小さくなるように構成されており、また、本体部において、上層部に対向する領域において本体吸収体が形成されていない領域が形成されている。
【先行技術文献】
【特許文献】
【０００４】
【特許文献１】特開２００６-１１５９９６号公報
【発明の概要】
【発明が解決しようとする課題】
【０００５】
しかしながら、出願人は、上述の吸収体物品について、以下のような問題点を発見した。
【０００６】
かかる吸収性物品では、本体吸収体及び上層吸収体が同一の表面シートで覆われた状態で、本体吸収体及び表面シートが接合されているため、かかる表面シートの影響で、本体吸収体が、凹部を起点として幅方向に変形しにくくなり、着用者へのフィット性を損ねてしまうという問題点があった。
【０００７】
また、かかる吸収性物品では、上層吸収体が、本体吸収体と表面シートとの間で自由度が抑えられている状態にあるため、吸収性物品全体が、長手方向に湾曲した際に、上層吸収体は、たくれることでしか距離を縮めることができず、本体吸収体が、凹部を起点として幅方向に変形しにくくなり、着用者へのフィット性を損ねてしまうという問題点があった。
【０００８】
そこで、本発明は、上述の課題に鑑みてなされたものであり、本体吸収体の幅方向の変形を容易にし、着用者へのフィット性を向上させることができる吸収性物品及び生理用ナプキンを提供することを目的とする。
【課題を解決するための手段】
【０００９】
本発明の第１の特徴は、表面シートと、裏面シートと、該表面シートと該裏面シートとの間に配置される本体吸収体とを有する本体部を有する吸収性物品であって、前記本体部の肌当接面側に、前記吸収性物品の長手方向に延びる上層部が設けられており、前記上層部は、前記表面シートとは別体の上層表面シートを有しており、前記吸収性物品の幅方向における前記上層部の寸法は、前記幅方向における前記本体部の寸法よりも小さくなるように構成されており、前記上層部に対向する前記本体吸収体の前記幅方向の中心を含む中央領域が設けられており、前記中央領域の少なくとも一部において、前記中央領域よりも曲げ剛性が低い低剛性領域が形成されていることを要旨とする。
【００１０】
本発明の第２の特徴は、表面シートと、裏面シートと、該表面シートと該裏面シートとの間に配置される本体吸収体とを有する本体部を有する生理用ナプキンであって、前記本体部は、前記生理用ナプキンの幅方向の両外側に延出する中央ウィング部と、前記中央ウィング部よりも前記生理用ナプキンの長手方向の後方に設けられており前記幅方向の両外側に延出する後方ウィング部とを有し、前記本体部の肌当接面側に、前記生理用ナプキンの長手方向に延びる上層部が設けられており、前記上層部は、前記表面シートとは別体の上層表面シート及び前記本体吸収体とは別体の上層吸収体を有しており、前記生理用ナプキンの幅方向における前記上層部の寸法は、前記幅方向における前記本体部の寸法よりも小さくなるように構成されており、前記上層部に対向する前記本体吸収体の前記幅方向の中心を含む中央領域が設けられており、前記中央領域内で、前記上層部内で前記上層吸収体が配置されている領域に少なくとも一部が対向する領域において、前記中央領域よりも曲げ剛性が低い低剛性領域が形成されており、前記低剛性領域は、前記幅方向における前記本体部の寸法が最も小さい領域よりも、前記長手方向の後方に形成されており、前記後方ウィング部は、前記低剛性領域の前記幅方向の外側に設けられており、前記本体部及び前記上層部は、前記低剛性領域に対向する領域において接合されておらず、前記幅方向における前記低剛性領域の寸法は、前記幅方向における前記上層吸収体の寸法よりも小さくなるように構成されており、前記本体部の肌当接面側において、分断されている第１圧搾溝及び第２圧搾溝が少なくとも設けられており、前記第１圧搾溝は、前記低剛性領域に対向する領域よりも前記幅方向の外側において、前記長手方向に延びており、前記第２圧搾溝は、前記低剛性領域に対向する領域よりも前記幅方向の外側において、前記長手方向に延びており、かつ、前記低剛性領域に対向する領域よりも前記長手方向の後方において、前記幅方向に延びており、前記低剛性領域における前記本体吸収体の目付けは、前記低剛性領域の周辺領域における前記本体吸収体の目付けよりも低くなるように構成されていることを要旨とする。
【発明の効果】
【００１１】
以上説明したように、本発明によれば、本体吸収体の幅方向の変形を容易にし、着用者へのフィット性を向上させることができる吸収性物品及び生理用ナプキンを提供することができる。
【図面の簡単な説明】
【００１２】
【図１】本発明の第１の実施形態に係る吸収性物品の肌当接面側から見た平面図である。
【図２】本発明の第１の実施形態に係る吸収性物品のＡ-Ａ’断面図及びＢ-Ｂ’断面図である。
【図３】本発明の第１の実施形態に係る吸収性物品の製造方法を説明するための図である。
【図４】本発明の変更例１に係る吸収性物品の肌当接面側から見た平面図である。
【図５】本発明の変更例１に係る吸収性物品のＣ-Ｃ’断面図である。
【発明を実施するための形態】
【００１３】
（本発明の第１の実施形態）
図１乃至図３を参照して、本発明の第１の実施形態に係る吸収性物品１について説明する。例えば、本実施形態に係る吸収性物品１は、紙おむつや失禁パッドや生理用ナプキン等である。以下、本実施形態に係る吸収性物品１として、生理用ナプキンを例に挙げて説明する。
【００１４】
図１に示すように、吸収性物品１は、排泄口当接領域Ａと、後方領域Ｂと、前方領域Ｃとによって構成されている。
【００１５】
後方領域Ｂは、排泄口当接領域Ａに対して吸収性物品１の長手方向Ｌの後方側に配置されており、前方領域Ｃは、排泄口当接領域Ａに対して吸収性物品１の長手方向Ｌの前方側に配置されている。
【００１６】
なお、排泄口当接領域Ａは、吸収性物品１において着用者の膣口に当接する領域であり、例えば、着用者の下着に吸収性物品１が着用される際に、下着の２つの足回り開口の間に配置される領域である。
【００１７】
また、吸収性物品１は、排泄口当接領域Ａにおいて、幅方向Ｗの両外側に延出するように形成されている１対の中央ウィング部４０を有しており、後方領域Ｂにおいて、幅方向Ｗの外側に延出するように形成されている後方ウィング部４１を有している。
【００１８】
ここで、着用者は、吸収性物品１を下着に着用する際に、中央ウィング部４０を下着に巻き込んで、吸収性物品１を下着に固定する。また、着用者は、吸収性物品１を下着に着用する際に、後方ウィング部４１を下着の後ろ身ごろに開いた状態で固定する。
【００１９】
また、吸収性物品１において、幅方向Ｗの中心を通る長手方向Ｌの線Ｏと中央ウィング部４０の長手方向Ｌの中心を通る幅方向Ｗの線（Ａ-Ａ’）との交点Ｑを「排泄口当接領域Ａの長手方向Ｌの中心」とし、交点Ｑから長手方向Ｌの後方に４０ｍｍ離れた箇所と長手方向Ｌの後方端部との間の領域を「後方領域Ｂ」とし、交点Ｑから長手方向Ｌの前方に４０ｍｍ離れた箇所と長手方向Ｌの前方端部との間の領域を「前方領域Ｃ」としてもよい。
【００２０】
図２（ａ）及び図２（ｂ）に示すように、本実施形態の吸収性物品１は、本体部１０と、上層部２０とを有している。
【００２１】
ここで、本体部１０は、表面シート１２と、裏面シート１３と、表面シート１２と裏面シート１３との間に配置される本体吸収体１１とを有している。
【００２２】
表面シート１２は、本体部１０において、吸収性物品１の肌当接面側に設けられている液透過性のシートであり、裏面シート１３は、本体部１０において、吸収性物品１の肌非当接面側に設けられている液不透過性のシートである。
【００２３】
例えば、表面シート１２は、２５目付けのエアースルー不織布であり、２.２ｄｔｅｘの芯がＰＥＴであり、かつ、鞘がＰＥである繊維によって構成されている。かかる表面シート１２は、嵩回復処理（温度９０°で１０分放置）が施されていない。かかる表面シート１２の密度は、０.０５５ｇ/ｃｍ３である。
【００２４】
また、裏面シート１３は、例えば、２０ｇ/ｍ２のポリエチレンフィルムによって構成されている。
【００２５】
本体吸収体１１は、尿や経血等の体液を吸収するように構成されており、吸収性物品１における排泄口当接領域Ａと後方領域Ｂと前方領域Ｃとに渡って配置されている。
【００２６】
例えば、本体吸収体１１としては、１５ｇ/ｍ２程度のティッシュやレーヨン等が含まれるスパンレース不織布を複数枚重ねたものや、吸収ポリマーや機能性材料を含んだエアレイドパルプシート等が使われる。なお、本体吸収体１１の材料は、体液を吸収することができる材料であれば、特には限定されない。
【００２７】
なお、図１に示すように、本体吸収体１１と表面シート１２とは、複数の圧搾溝１４Ａ、１４Ｂ、１４Ｃ及び１４Ｄによって接合されている。
【００２８】
かかる吸収性物品１において、本体部１０の幅方向Ｗの両脇に、防漏壁３０が設けられていてもよい。かかる防漏壁３０は、中空上に折り畳まれた防漏シート３１と、防漏シート３１内に伸張状態で配置された弾性部材３２とによって構成されている。
【００２９】
また、防漏シート３１は、例えば、１０〜３０ｇ/ｍ２のスパンボンド不織布によって構成されており、弾性部材３２は、糸状の天然ゴム又は合成ゴムによって構成されていてもよい。
【００３０】
また、上層部２０は、本体部１０の肌当接面側に、長手方向Ｌに延びるように設けられている、すなわち、吸収性物品１全長に渡って配置されている。ここで、幅方向Ｗにおける上層部２０の寸法Ｗ２は、幅方向Ｗにおける本体部１０の寸法Ｗ１よりも小さくなるように構成されている。
【００３１】
具体的には、上層部２０は、表面シート１２とは別体の上層表面シート２２と、本体吸収体１１とは別体の上層吸収体２１とを有している。
【００３２】
例えば、上層表面シート２２は、２０目付けのエアースルー不織布であり、２.２ｄｔｅｘの芯がＰＥＴであり、かつ、鞘がＰＥである繊維によって構成されている。かかる表面シート１２は、嵩回復処理が施されている。かかる表面シート１２の密度は、０.０２５ｇ/ｃｍ３である。
【００３３】
例えば、上層吸収体２１としては、１５ｇ/ｍ２程度のティッシュやレーヨン等が含まれるスパンレース不織布を複数枚重ねたものや、吸収ポリマーや機能性材料を含んだエアレイドパルプシート等が使われる。なお、本体吸収体１１の材料は、体液を吸収することができる材料であれば、特には限定されない。
【００３４】
ここで、図２（ａ）及び図２（ｂ）に示すように、上層表面シート２２は、３つに折り畳まれており、３つに折り畳まれた上層表面シート２２の領域同士は、ホットメルト接着剤（ＨＭＡ）によって接合されている。
【００３５】
そして、図２（ｂ）に示すように、後方領域Ｂに配置される上層部２０において、３つに折り畳まれた上層表面シート２２の内部に、上層吸収体２１が配置されている。
【００３６】
すなわち、図２（ａ）に示すように、排泄口当接領域Ａ（及び、前方領域Ｃ）に配置される上層部２０では、３つに折り畳まれた上層表面シート２２の内部に、上層吸収体２１が配置されていない。
【００３７】
なお、吸収性物品１は、４つに折り畳まれて包装されるように構成されている。ここで、包装される際に形成される３本の折り線を、吸収性物品１の長手方向Ｌの後方から、順番に、第１折り線、第２折り線、第３折り線とすると、かかる上層吸収体２１は、第１折り線と第２折り線との間に配置されるように構成されている。
【００３８】
また、上層部２０において、上層吸収体２１が配置されていない領域と、上層吸収体２１が配置されている領域との間に、離間領域（スライド部）が設けられていてもよい。
【００３９】
かかる離間領域では、本体部１０と上層部２０とが接合されていない。すなわち、図１及び図２（ｂ）に示すように、上層部２０は、低剛性領域１５に対向する領域の少なくとも一部において本体部１０に接合されていない。
【００４０】
かかる構成によれば、吸収性物品１が、長手方向Ｌに湾曲した際に、肌当接面側の湾曲部分の円弧は、衣服等接面側の湾曲部分の円弧と比べて小さくなるが、上層部２０が、本体部１０に接合されていないことにより、上層部２０が、前後にスライドしやすくなり、上層部に皺が発生しずらくなるため、上層部２０は、流れてきた体液を捕捉しやすい。
【００４１】
一方、図１及び図２（ａ）に示すように、かかる離間領域以外の領域では、圧搾部（エンボス）やホットメルト接着剤（ＨＭＡ）等によって本体部１０と上層部２０とが接合されている。
【００４２】
かかる場合、吸収性物品１が下着に着用されて長手方向Ｌに湾曲した場合に、かかる離間領域（スライド部）が、長手方向Ｌの前方或いは後方に向かって移動
するように構成されている。
【００４３】
また、上層部２０において、上述の離間領域が設けられていなくてもよい。かかる場合、吸収性物品１の長手方向Ｌの製品全長に渡って、上層部２０と本体部１０とが接合されている。
【００４４】
上層部２０に対向する本体吸収体１１の幅方向Ｗの中心Ｏを含む中央領域が設けられており、かかる中央領域の少なくとも一部において、かかる中央領域よりも曲げ剛性が低い低剛性領域５０が形成されている。
【００４５】
より具体的には、低剛性領域５０は、上層部２０内で上層吸収体２１が配置されている領域に少なくとも一部が対向する本体吸収体１１の領域に形成されている。
【００４６】
かかる構成によれば、本体吸収体１１における低剛性領域５０が、下着の着圧によって着用者の体の凹形状（お尻の窪み）に沿うように変形し、それに伴い、上層部２０も、着用者の体の凹形状に沿うように柔軟に変形することができるため、上層部２０が、着用者の体の隙間を埋めて流れる体液と接触しやすくなる。その結果、上層吸収体２１が、かかる体液を即座に吸収しやすくなる。
【００４７】
幅方向Ｗにおける低剛性領域５０の寸法は、幅方向Ｗにおける上層吸収体２１の寸法よりも小さくなるように構成されている。
【００４８】
ここで、低剛性領域５０が、吸収性物品１の幅方向Ｗへの変形起点となるため、幅方向Ｗにおける低剛性領域５０の寸法が、幅方向Ｗにおける上層吸収体２１の寸法よりも広いと、吸収性物品１が、上層吸収体２１よりも幅方向Ｗの外側で変形してしまう可能性があり、所望の機能を発揮できなくなる可能性がある。
【００４９】
低剛性領域５０における本体吸収体１１の目付けは、低剛性領域５０の周辺領域における本体吸収体１１の目付けよりも低くなるように構成されていてもよい。また、本体吸収体１１にスリットを入れることによって、かかる低剛性領域５０を形成してもよい。
【００５０】
かかる構成によれば、低剛性領域５０における本体吸収体１１の目付けを低くすることによって、安い設備コストで、吸収性物品１を製造することができる。
【００５１】
低剛性領域５０は、中央ウィング部４０よりも、長手方向Ｌの後方に形成されている。かかる構成によれば、低剛性領域５０が、吸収性物品１の後方に配置されていることによって、着用者の体の窪みの中で最も窪みが深いお尻の窪みに低剛性領域５０をフィットさせることができる。
【００５２】
また、低剛性領域５０の幅方向Ｗの外側に、後方ウィング部４１が設けられている。かかる構成によれば、低剛性領域５０は、着用者の体の中心線の窪みに沿って変形しやすいが、低剛性領域５０の両脇に粘着剤が塗布されている後方ウィング部４１を配置しておくことで、過度な変形（縒れ）を防ぐことができる。
【００５３】
なお、低剛性領域５０は、本体吸収体１１が裏面シート１３側に凹んでいる凹部領域によって構成されていてもよい。かかる場合、上層部２０は、かかる凹部領域内に収まるように構成されていてもよい。
【００５４】
かかる構成によれば、上層吸収体２１は、厚みを有しているため、凹部領域内に収まることで、上層吸収体２１が配置されていない領域の上層部２０及び本体部１０の総厚みと上層吸収体２１が配置されている領域の上層部２０及び本体部１０の総厚みのとの間の差が小さくなる。したがって、包装のために吸収性物品１を肌当接面側に折った際に、上層吸収体２１が配置されている肌当接面側に皺が入りにくくなり、隙間ができにくくなる。
【００５５】
裏面シート１３の下着当接面側に、吸収性物品１を下着に固定するための粘着剤が塗布されている。
【００５６】
例えば、図２（ａ）に示すように、中央ウィング部４０の衣服当接面側に、吸収性物品１を下着に固定するための粘着剤６１が塗布されており、図２（ｂ）に示すように、後方ウィング部４１の衣服当接面側に、吸収性物品１を下着に固定するための粘着剤６２が塗布されている。
【００５７】
また、図２（ｂ）に示すように、裏面シート１２の衣服当接面側に、長手方向Ｌに沿って、吸収性物品１を下着に固定するための粘着剤６３が塗布されている。なお、低剛性領域５０の幅方向Ｗの中心を含む領域に対向する裏面シート１３の領域には、粘着剤６３が塗布されていない。
【００５８】
かかる構成によれば、低剛性領域５０は、下着に固定されてないため、着用者の股の力を借りることで、下着の着圧以上に凸状に変形しやすくなる。
【００５９】
また、図１に示すように、本実施形態に係る吸収性物品１には、本体部１０の肌当接面側において、表面シート１０から吸収体１３までを圧搾するように構成されている圧搾溝１４Ａ、１４Ｂ、１４Ｃ及び１４Ｄが設けられている。
【００６０】
具体的には、低剛性領域５０よりも幅方向Ｗの外側に、長手方向Ｌに延びる圧搾溝１４Ｂ及び１４Ｃが設けられている。
【００６１】
かかる構成によれば、幅方向Ｗにおいて、低剛性領域５０が、高剛性領域（圧搾溝１４Ｂ/１４Ｃ）に挟まれることになり、着用者の体の凹形状に沿うように変形しやすい。更に、低剛性領域５０は、縒れやすい領域であるため、圧搾溝１４Ｂ/１４Ｃを配置することで、縒れ耐性を高めることができる。
【００６２】
さらに、低剛性領域５０よりも長手方向Ｌの後方に、幅方向Ｗに延びる圧搾溝１４Ｄが設けられている。
【００６３】
かかる構成によれば、吸収性物品１の後端まで低剛性領域５０の凸状の変形が伝播しにくくなるため、過度な変形（縒れ）を防ぐことができる。つまり、上層吸収体２１が配置されていない後端部分は、面状に着用者の体に当接するように構成される。
【００６４】
なお、圧搾溝１４Ａ及び１４Ｄによって、本体部１０と上層部２０とが接合されている、具体的には、上層表面シート２２と表面シート１２と本体吸収体１１とが接合されている。
【００６５】
また、中央ウィング部４０が設けられている領域では、吸収性物品１の幅方向Ｗにおいて、上層部２０の両縁部は、圧搾溝１４Ａの外側に延出しないように配置されている。
【００６６】
次に、図３を参照して、本実施形態に係る吸収性物品１の製造方法の一部について説明する。なお、図３に記載されていない方法については、既存の方法を用いることができる。
【００６７】
図３に示すように、ステップＳ１０１において、上層部２０を生成する。
【００６８】
具体的には、第１に、上層表面シート２２用ウェブに対して、嵩回復処理や冷却処理を施して嵩を回復させる。
【００６９】
第２に、上層吸収体２１を所定の長さにカットし、ホットメルト接着剤を塗工した後に、上層表面シート２２用ウェブ上に貼り合わせる。
【００７０】
第３に、上層表面シート２２用ウェブと上層吸収体２１上にホットメルト接着剤を塗工して、セーラー工程にて３つに折り畳み、上層吸収体２１を上層表面シート２２用ウェブでラッピングする。
【００７１】
第４に、上層表面シート２２用ウェブにおいて、エンボス加工を行うことによって、上述の離間領域を形成する。
【００７２】
ステップＳ１０２において、防漏壁３０を生成する。
【００７３】
具体的には、第１に、弾性部材３２にホットメルト接着剤を塗工し、スリッターで半切された防漏シート３１に合流させ、セーラー工程を経て、防漏壁３０の基礎を形成する。
【００７４】
第２に、防漏壁３０の基礎を、表面シート１２用ウェブに合流させ、エンボス加工によって、防漏壁３０の基礎と表面シート１２用ウェブとを接合する。
【００７５】
第３に、セーラー工程によって、防漏壁３０の基礎から、Ω状の防漏壁３０を形成する。
【００７６】
ステップＳ１０３において、３つに折り畳まれた上層表面シート２２用ウェブに対して間欠的にホットメルト接着剤を塗工し、防漏壁３０が形成された表面シート１２用ウェブに張り合わせ、その後、エンボス加工によって、上層表面シート２２用ウェブと表面シート１２用ウェブとを接合する。
【００７７】
ステップ１０４において、本体吸収体１１を生成する。
【００７８】
具体的には、第１に、ティッシュ上に粉砕されたパルプ及び吸収ポリマーを積層させ、セーラー工程にてティッシュでラップして、本体吸収体１１の基礎を形成する。
【００７９】
第２に、エンボス加工によって、本体吸収体１１の基礎の厚みを、所定の厚みとする。
【００８０】
第３に、吸収体カッターを用いて、本体吸収体１１の基礎を、所定の寸法及び形状にカットすることによって、本体吸収体１１を生成する。
【００８１】
ステップ１０５において、上層表面シート２２用ウェブ及び防漏壁３０が接合されている表面シート１２用ウェブに、本体吸収体１１を張り合わせ、吸収性物品１の肌当接面側に、ヒンジシールにて所定の形状の圧搾溝を形成する。
【００８２】
ステップＳ１０６において、裏面シート１３用ウェブにホットメルト接着剤を塗工して、表面シート１２用ウェブの吸収性物品１の肌非当接面側に合流させる。
【００８３】
（変更例１）
図４及び図５を参照して、本発明の変更例１に係る吸収性物品１について、上述の第１の実施形態に係る吸収性物品１との相違点に着目して説明する。
【００８４】
図４及び図５に示すように、本変更例１に係る吸収性物品としては、昼用の生理用ナプキンを例に挙げて説明する。すなわち、本変更例１に係る吸収性物品１には、中央ウィング部４０は設けられているが、後方ウィング部は設けられていない。
【００８５】
ここで、図４に示すように、低剛性領域５０の幅方向Ｗの外側に、中央ウィング部４０が設けられている。
【００８６】
また、低剛性領域５０よりも長手方向Ｌの前方に、幅方向Ｗに延びる圧搾溝１１４Ｆが設けられており、低剛性領域５０よりも長手方向Ｌの後方に、幅方向Ｗに延びる圧搾溝１１４Ｇが設けられている。
【００８７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８８】
１…吸収性物品
１０…本体部
１１…本体吸収体
１２…表面シート
１３…裏面シート
１４Ａ、１４Ｂ、１４Ｃ、１４Ｄ…圧搾溝
２０…上層部
２１…上層吸収体
２２…上層表面シート
３０…防漏壁
３１…防漏シート
４０…中央ウィング部
４１…後方ウィング部
５０…低剛性領域
【図１】
0005749907.tif 000002
【図２】
0005749907.tif 000003
【図３】
0005749907.tif 000004
【図４】
0005749907.tif 000005
【図５】
0005749907.tif 000006